(57)【特許請求の範囲】
【請求項１】
センタ装置から伝送される放送信号に電力信号を重畳することにより、タップオフから各加入者宅内へ信号を引き込むドロップケーブルを介して各加入者宅内に電力を供給するＣＡＴＶシステムに設けられ、前記ドロップケーブルにおいて異常が発生した場合に当該ドロップケーブルへの電力信号の伝送を制限すると共に、当該ドロップケーブルが修復された場合に電力信号の伝送の制限を解除するＣＡＴＶシステム用電力信号伝送制限装置であって、
前記ドロップケーブルへ正規の電圧で電力信号を伝送する第１伝送経路と、電圧を低下させる降圧手段を介して正規の電圧よりも低い電圧で電力信号を伝送する第２伝送経路と、を選択的に切り替えるための切替部材と、
前記ドロップケーブルの各加入者宅側において所定周波数の検出信号を生成して当該ドロップケーブルを介して当該ドロップケーブルのタップオフ側へ供給する検出信号供給手段と、
前記ドロップケーブルのタップオフ側端点において前記検出信号を検出する信号検出手段と、
該信号検出手段による検出結果に基づき、前記検出信号が検出されている場合には前記切替部材に前記第１伝送経路を選択させ、前記検出信号が検出されていない場合には前記切替部材に前記第２伝送経路を選択させる選択手段と、
を備えることを特徴とするＣＡＴＶシステム用電力信号伝送制限装置。
【請求項２】
前記検出信号供給手段は、前記ドロップケーブルを介して伝送されてくる電力信号を受けて動作することを特徴とする請求項１に記載のＣＡＴＶシステム用電力信号伝送制限装置。
【発明の詳細な説明】
【０００１】
【発明の属する技術分野】
本発明は、センタ装置から伝送される放送信号に電力信号を重畳することにより、タップオフから各加入者宅内へ信号を引き込むドロップケーブルを介して各加入者宅内に電力を供給するＣＡＴＶシステムに設けられ、ドロップケーブルにおいて異常が発生した場合に電力信号の伝送を制限すると共に、ドロップケーブルが修復された場合に電力信号の伝送の制限を解除するＣＡＴＶシステム用電力信号伝送制限装置に関する。
【０００２】
【従来の技術、及び発明が解決しようとする課題】
従来のＣＡＴＶシステムは、センタ装置から各加入者宅内へ放送信号を伝送する様に構成されているが、単に放送信号を伝送するだけでなく、放送信号に電力信号（例えば周波数６０Ｈｚ，電圧９０Ｖ程度）を重畳して伝送すれば、加入者宅内に設置された電話機等の電気機器の動作電力として用いることができるので、有用である。
【０００３】
ところで、例えば強風に煽られた飛散物等が伝送線に衝突すると、場合によっては伝送線において短絡（具体的には同軸ケーブルの内部導体と外部導体との接触）や開放（具体的には同軸ケーブルの内部導体や外部導体の断線）等の異常が発生することがあり、この様に伝送線に短絡や開放等の異常が発生した場合には、保守作業員によって伝送線の修復が行われるのであるが、安全のため、短絡や開放が発生してから修復されるまでの間は、電力信号の伝送を制限する（電圧を下げて伝送する、あるいは伝送を完全に遮断する）必要がある。特に、タップオフから各加入者宅内へ信号を引き込むためのドロップケーブルは、保守作業員以外の者であっても比較的容易に触れることができるので、短絡や開放等の異常が発生した部分に触れてしまう可能性がある。このため、万一ドロップケーブルにおいて短絡や開放等の異常が発生した場合に、速やかに電力信号の伝送を制限するための技術が要望される。
【０００４】
短絡が発生した場合に電力信号の伝送を制限する技術としては、例えばタップオフにヒューズを内蔵し、ドロップケーブルにおいて短絡が発生して過大電流が流れた場合にヒューズが切れて電力信号の伝送を制限するものが考えられるが、この様に構成されている場合には、ドロップケーブルの修復が行われた後、電力信号の伝送の制限を解除するために、切れたヒューズを新しいものと交換する必要があり、作業に長時間を要する、という問題がある。加えて、開放が発生した場合にはそもそも電流が流れないのでヒューズは何等機能せず、電力信号の伝送を制限することができない、という問題がある。このため、ドロップケーブルにおいて短絡及び開放の何れが発生した場合にも速やかに電力信号の伝送を制限すると共に、ドロップケーブルが修復された場合に速やかに電力信号の伝送の制限を解除するための技術が要望される。
【０００５】
そこで、本発明は、センタ装置から伝送される放送信号に電力信号を重畳することにより、タップオフから各加入者宅内へ信号を引き込むドロップケーブルを介して各加入者宅内に電力を供給するＣＡＴＶシステムに設けられ、ドロップケーブルにおいて異常が発生した場合に速やかに電力信号の伝送を制限することができ、更に、ドロップケーブルが修復された場合に速やかに電力信号の伝送の制限を解除することができるＣＡＴＶシステム用電力信号伝送制限装置を提供することを目的とする。
【０００６】
【課題を解決するための手段、及び発明の効果】
この様な目的を達成するため、本発明にかかるＣＡＴＶシステム用電力信号伝送制限装置は、請求項１に記載されている様に、センタ装置から伝送される放送信号に電力信号を重畳することにより、タップオフから各加入者宅内へ信号を引き込むドロップケーブルを介して各加入者宅内に電力を供給するＣＡＴＶシステムに設けられ、前記ドロップケーブルにおいて異常が発生した場合に当該ドロップケーブルへの電力信号の伝送を制限すると共に、当該ドロップケーブルが修復された場合に電力信号の伝送の制限を解除するＣＡＴＶシステム用電力信号伝送制限装置であって、前記ドロップケーブルへ正規の電圧で電力信号を伝送する第１伝送経路、と電圧を低下させる降圧手段を介して正規の電圧よりも低い電圧で電力信号を伝送する第２伝送経路と、を選択的に切り替えるための切替部材と、前記ドロップケーブルの各加入者宅側において所定周波数の検出信号を生成して当該ドロップケーブルを介して当該ドロップケーブルのタップオフ側へ供給する検出信号供給手段と、前記ドロップケーブルのタップオフ側端点において前記検出信号を検出する信号検出手段と、該信号検出手段による検出結果に基づき、前記検出信号が検出されている場合には前記切替部材に前記第１伝送経路を選択させ、前記検出信号が検出されていない場合には前記切替部材に前記第２伝送経路を選択させる選択手段と、を備えることを特徴とする。
【０００７】
本発明にかかるＣＡＴＶシステム用電力信号伝送制限装置においては、検出信号供給手段が、ドロップケーブルの各加入者宅側において所定周波数の検出信号を生成し、ドロップケーブルを介して、ドロップケーブルのタップオフ側へ供給する。そして、信号検出手段が、ドロップケーブルのタップオフ側端点において検出信号を検出し、選択手段が、信号検出手段による検出結果に基づき、検出信号が検出されている場合には切替部材に第１伝送経路を選択させ、検出信号が検出されていない場合には切替部材に第２伝送経路を選択させる。そして、第１伝送経路が選択されている間は正規の電圧で電力信号が伝送され、第２伝送経路に切り替えられると電圧を低下させる降圧手段を介して正規の電圧よりも低い電圧で電力信号が伝送される。
【０００８】
従って、ドロップケーブルに何等異常がなければ、検出信号供給手段によって検出信号がドロップケーブルのタップオフ側に供給され、信号検出手段によって検出信号が検出されるので、選択手段は切替部材に第１伝送経路を選択させた状態を維持し、電力信号は、正規の電圧で伝送される。これに対して、飛散物の衝突等によってドロップケーブルにおいて短絡や開放が発生すると、検出信号はドロップケーブルのタップオフ側に供給されなくなり、検出信号が検出されなくなるので、選択手段は切替部材を駆動して第２伝送経路を選択させる。すると、電力信号は、降圧手段によって電圧を下げられて伝送される。
【０００９】
そして、その後、短絡又は開放が発生したドロップケーブルを保守作業員が修復すると、検出信号供給手段によって検出信号がドロップケーブルのタップオフ側に供給され、信号検出手段によって検出信号が検出される様になるので、選択手段は切替部材を駆動して第１伝送経路を選択させる。すると、電力信号は、正規の電圧で伝送される、即ちドロップケーブルにおいて短絡又は開放が発生する前と同様に伝送される様になる。
【００１０】
この様に、本発明にかかるＣＡＴＶシステムによれば、ドロップケーブルにおいて短絡又は開放が発生した場合に速やかに電力信号の伝送を制限する（電圧を下げて伝送する）ことができると共に、ドロップケーブルが修復された場合に速やかに電力信号の伝送の制限を解除することができる。
【００１１】
又、請求項２に記載されている様に、本発明にかかるＣＡＴＶシステムにおいて、前記検出信号供給手段は、前記ドロップケーブルを介して伝送されてくる電力信号を受けて動作する様に構成されていると更に良い。
この様に構成されている場合には、検出信号供給手段に電力を供給するための装置を別途設ける必要がないので、装置構成を簡略化することができる。又、ドロップケーブルにおいて短絡又は開放が発生すると、検出信号がドロップケーブルのタップオフ側に供給されなくなるだけでなく、検出信号供給手段自体がを動作しなくなるので、検出信号を無駄に生成することもない。
【００１２】
【発明の実施の形態】
以下、本発明の一実施例を図面に基づいて説明する。
まず、本実施例のＣＡＴＶシステム用電力信号伝送制限装置の構成について説明する。図１は、ＣＡＴＶシステム用電力信号伝送制限装置の構成を説明するための概略構成図である。尚、以下、図１（ａ）に基づいて説明する。
【００１３】
本実施例のＣＡＴＶシステム用電力信号伝送制限装置は、図示しないセンタ装置から伝送される放送信号（周波数５ＭＨｚ以上）に電力信号（周波数６０Ｈｚ，電圧９０Ｖ）を重畳することにより、伝送線１を分岐するタップオフ２から各加入者宅内へ信号を引き込むドロップケーブル３を介して各加入者宅内に電力を供給するＣＡＴＶシステムに設けられ、ドロップケーブル３において短絡や開放が発生した場合に速やかに電力信号の伝送を制限すると共に、ドロップケーブル３が修復された場合に速やかに電力信号の伝送の制限を解除するためのものであり、ドロップケーブル３のタップオフ２側端点に設けられる制御部４と、各加入者宅側端点に設けられる発振部５と、によって構成される。尚、電力信号は、センタ装置において重畳する様に構成されていても良いし、センタ装置とタップオフ２とを接続する伝送線１に設けられる図示しない分岐器，分岐増幅器，分配器，分配増幅器，延長増幅器等において重畳する様に構成されていても良い。
【００１４】
続いて、制御部４及び発振部５の具体的構成について説明する。図２は、制御部４及び発振部５の内部構成を説明するための電気回路図である。
図２に示す様に、制御部４は、タップオフ２に接続される入力端子Ｔｉｎ１と、ドロップケーブル３に接続される出力端子Ｔｏｕｔ１と、を備え、入力端子Ｔｉｎ１は、高周波信号を通過させるためのバイパスコンデンサ１１と、共振周波数が１００ｋＨｚである並列共振回路（以下「ＰＲＣ」という。）１９と、を介して出力端子Ｔｏｕｔ１と接続されており、周波数の高い放送信号は、入力端子Ｔｉｎ１，バイパスコンデンサ１１，ＰＲＣ１９，出力端子Ｔｏｕｔ１を介してドロップケーブル３へ伝送される。又、入力端子Ｔｉｎ１には、高周波信号の通過を阻止するためのチョークコイル１２を介して電源回路１３と接続されている。電源回路１３は、チョークコイル１２を介して入力される電力信号を受けて直流１２Ｖの定電圧源として機能するものであり、後述するレベル判別回路２２，リレー駆動回路２３に動作電力を供給する。又、入力端子Ｔｉｎ１とＰＲＣ１９との間には、リレー接点２４が設けられている。具体的には、リレー接点２４のＯＮ端子は入力端子Ｔｉｎ１と直接接続されており、ＯＦＦ端子はチョークコイル１２，降圧回路２５を介して入力端子Ｔｉｎ１と接続されている。降圧回路２５は、ドロップケーブル３において短絡や開放が発生した場合に電力信号の電圧を下げてドロップケーブル３へ伝送するためのものであり、抵抗等によって構成されている。
【００１５】
発振部５は、ドロップケーブル３に接続される入力端子Ｔｉｎ２と、各加入者宅に接続される出力端子Ｔｏｕｔ２と、を備え、入力端子Ｔｉｎ２は、共振周波数が１００ｋＨｚであるＰＲＣ１８を介して出力端子Ｔｏｕｔ１と接続されている。又、入力端子Ｔｉｎ２とＰＲＣ１８との間には、共振周波数が１００ｋＨｚである直列共振回路（以下「ＳＲＣ」という。）１７を介して発振器１６が設けられている。ＳＲＣ１７は、入力端子Ｔｉｎ２に接続されるコイルと発振器１６に接続されるコンデンサとによって構成されており、コイルとコンデンサとの接続点には、抵抗１４を介して電源回路１５が接続されている。電源回路１５は、抵抗１４を介して伝送されてくる電力信号を受けて直流１２Ｖの定電圧源として機能するものであり、発振器１６に動作電力を供給する様に構成されている。発振器１６は、検出信号（周波数１００ｋＨｚ，電圧１Ｖ）を生成するためのものである。尚、電源回路１５は、入力される電力信号が降圧回路２５によって電圧を下げられている場合でも直流１２Ｖの定電圧源として機能する様に構成されている。
【００１６】
又、制御部４の出力端子Ｔｏｕｔ１とＰＲＣ１９との接続点には、共振周波数が１００ｋＨｚであるＳＲＣ２０，整流回路２１を介してレベル判別回路２２が接続されており、発振器１６により生成された検出信号は、ＳＲＣ１７，入力端子Ｔｉｎ２，ドロップケーブル３，出力端子Ｔｏｕｔ１，ＳＲＣ２０を介して整流回路に入力される。整流回路２１は、自身に入力される検出信号を整流してレベル判別回路２２に伝える様に構成されており、レベル判別回路２２は、整流回路２１から伝えられる信号の電圧レベルが０．５Ｖ以上であるか否かを判断することによって検出信号が伝送されてきているか否かを判断し、判断結果をリレー駆動回路２３に伝える様に構成されている。リレー駆動回路２３は、リレー接点２４を電磁気的に駆動して接続状態を切り替えるためのものであり、レベル判別回路２２による判断結果に基づき、電圧レベルが０．５Ｖ以上である場合には、リレー接点２４をＯＮ端子側に接続し、電圧レベルが０．５Ｖ未満である場合には、リレー接点２４をＯＦＦ端子側に接続する様に構成されている。
【００１７】
続いて、制御部４及び発振部５の各部の具体的動作を、ドロップケーブル３が正常である場合，ドロップケーブル３において短絡が発生した場合，ドロップケーブル３において開放が発生した場合に分けて説明する。
まず、ドロップケーブル３が正常である場合には、電力信号は、入力端子Ｔｉｎ１，リレー接点２４，ＰＲＣ１９，出力端子Ｔｏｕｔ１，ドロップケーブル３，入力端子Ｔｉｎ２，ＳＲＣ１７のコイル，抵抗１４を介して電源回路１５に入力される。すると、電源回路１５は、直流１２Ｖの定電圧源として機能し、発振器１６に動作電力を供給する。すると、発振器１６により検出信号が生成され、この検出信号は、ＳＲＣ１７，入力端子Ｔｉｎ２，ドロップケーブル３，出力端子Ｔｏｕｔ１，ＳＲＣ２０，を介して整流回路２１へ入力される。ＳＲＣ１７，ＳＲＣ２０は共に共振周波数が１００ｋＨｚであり、発振器１６により生成される１００ｋＨｚの検出信号に対するインピーダンスは非常に小さいので、発振器１６により生成された検出信号は、殆ど減衰することなく整流回路２１に入力される。このため、レベル判別回路２２は、整流回路２１から伝えられる信号の電圧レベルが０．５Ｖ以上であると判断し、その旨の判断結果がリレー駆動回路２３に伝えられる。すると、リレー駆動回路２３は、リレー接点２４の接続状態をＯＮ端子側に接続された状態で維持する。
【００１８】
従って、ドロップケーブル３が正常である場合には、電力信号は、入力端子Ｔｉｎ１，リレー接点２４，ＰＲＣ１９，出力端子Ｔｏｕｔ１，ドロップケーブル３，入力端子Ｔｉｎ２，ＰＲＣ１８，出力端子Ｔｏｕｔ２を介して、各加入者宅内へ伝送される。尚、放送信号は、入力端子Ｔｉｎ１，バイパスコンデンサ１１，ＰＲＣ１９，出力端子Ｔｏｕｔ１，ドロップケーブル３，入力端子Ｔｉｎ２，ＰＲＣ１８，出力端子Ｔｏｕｔ２を介して、各加入者宅内へ伝送される。
【００１９】
一方、ドロップケーブル３において短絡が発生すると、電力信号は、入力端子Ｔｉｎ１，リレー接点２４，ＰＲＣ１９，出力端子Ｔｏｕｔ１を介してドロップケーブル３から大地へ伝送される（逃げる）。すると、電源回路１５に電力信号が入力されなくなるので、電源回路１５は定電圧源としての機能を停止し、発振器１６に動作電力を供給しなくなる。すると、発振器１６により検出信号が生成されなくなり、整流回路２１に検出信号が入力されなくなる。このため、レベル判別回路２２は、整流回路２１から伝えられる信号の電圧レベルが０．５Ｖ未満であると判断し、その旨の判断結果がリレー駆動回路２３に伝えられ、リレー駆動回路２３によってリレー接点２４がＯＦＦ端子側に接続される。
【００２０】
従って、ドロップケーブル３において短絡が発生すると、電力信号は、入力端子Ｔｉｎ１，チョークコイル１２を介して降圧回路２５に入力され、降圧回路２５において電圧を下げられて、リレー接点２４（ＯＦＦ端子），ＰＲＣ１９，出力端子Ｔｏｕｔ１を介してドロップケーブル３へ伝送される。
【００２１】
又、ドロップケーブル３において開放が発生すると、電力信号は、入力端子Ｔｉｎ１，リレー接点２４，ＰＲＣ１９，出力端子Ｔｏｕｔ１を介してドロップケーブル３まで伝送されるが、開放が発生した箇所までしか伝送されなくなる。すると、電源回路１５に電力信号が入力されなくなるので、電源回路１５は定電圧源としての機能を停止し、発振器１６に動作電力を供給しなくなる。この結果、短絡が発生した場合と同様に、リレー接点２４がＯＦＦ端子側に接続される。
【００２２】
従って、ドロップケーブル３において開放が発生すると、短絡が発生した場合と同様に、電力信号は、入力端子Ｔｉｎ１，チョークコイル１２を介して降圧回路２５に入力され、降圧回路２５において電圧を下げられて、リレー接点２４（ＯＦＦ端子），ＰＲＣ１９，出力端子Ｔｏｕｔ１を介してドロップケーブル３へ伝送される。
【００２３】
そして、その後ドロップケーブル３が修復されると、電力信号は、入力端子Ｔｉｎ１，チョークコイル１２，降圧回路２５，リレー接点２４（ＯＦＦ端子），ＰＲＣ１９，出力端子Ｔｏｕｔ１，ドロップケーブル３，入力端子Ｔｉｎ２，ＳＲＣ１７のコイル，抵抗１４を介して電源回路１５に入力される様になる。すると、電源回路１５は、再び定電圧源として機能する様になり、発振器１６により検出信号が生成され、ＳＲＣ１７，入力端子Ｔｉｎ２，ドロップケーブル３，出力端子Ｔｏｕｔ１，ＳＲＣ２０，を介して整流回路２１へ入力される様になる。すると、レベル判別回路２２によって電圧レベルが０．５Ｖ以上であると判断され、リレー駆動回路２３によってリレー接点２４がＯＮ端子側に接続される。このため、電力信号は、ドロップケーブル３において短絡又は開放が発生する前と同様に、入力端子Ｔｉｎ１，リレー接点２４，ＰＲＣ１９，出力端子Ｔｏｕｔ１，ドロップケーブル３，入力端子Ｔｉｎ２，ＰＲＣ１８，出力端子Ｔｏｕｔ２を介して、各加入者宅内へ伝送される様になる。
【００２４】
尚、本実施例において、リレー接点２４が前述の切替部材に相当し、降圧回路２５が前述の降圧手段に相当し、電源回路１５，発振器１６が前述の検出信号供給手段に相当し、整流回路２１，レベル判別回路２２が前述の信号検出手段に相当し、リレー駆動回路２３が前述の選択手段に相当する。
【００２５】
続いて、本実施例のＣＡＴＶシステム用電力信号伝送制限装置の効果について説明する。
本実施例のＣＡＴＶシステム用電力信号伝送制限装置によれば、ドロップケーブル３において短絡又は開放が発生すると、自動的に、それまでＯＮ端子側に接続されていたリレー接点２４がＯＦＦ端子側に接続され、降圧回路２５を介して電力信号が伝送される様になるので、速やかに電力信号の伝送を制限することができる。
【００２６】
又、ドロップケーブル３が修復されると、自動的に、それまでＯＦＦ端子側に接続されていたリレー接点２４がＯＮ端子側に接続され、ドロップケーブル３において短絡又は開放が発生する前と同様に、降圧回路２５を介さずに電力信号が伝送される様になるので、速やかに電力信号の伝送の制限を解除することができる。
【００２７】
又、発振器１６は、ドロップケーブル３を介して伝送されてくる電力信号を受けた電源回路１５から動作電力を供給される様に構成されているので、発振器１６に電力を供給するための装置を別途設ける必要がないので、装置構成を簡略化することができる。又、ドロップケーブル３において短絡又は開放が発生して電力信号が電源回路１５まで伝送されなくなると、発振器１６に動作電力が供給されなくなり、発振器１６が検出信号を生成しなくなるので、検出信号が無駄に生成されることもない。
【００２８】
以上、本発明の一実施例について説明したが、本発明は前述した実施例に何等限定されるものではなく、更に種々の態様において実施しても良いことはもちろんである。
例えば、制御部４は、図１（ａ）に示す様にタップオフ２の外部に設けられていても良いし、図１（ｂ）に示す様にタップオフ２に内蔵されていても良い。
【図面の簡単な説明】
【図１】  実施例のＣＡＴＶシステム用電力信号伝送制限装置の構成を説明するための概略構成図（ａ）及び変形例の概略構成図（ｂ）である。
【図２】  制御部及び発振部の内部構成を説明するための電気回路図である。
【符号の説明】
１…伝送線    ２…タップオフ    ３…ドロップケーブル    ４…制御部    ５…発振部    １１…バイパスコンデンサ    １２…チョークコイル    １３，１５…電源回路    １４…抵抗    １６…発振器    １７，２０…ＳＲＣ（直列共振回路）    １８，１９…ＰＲＣ（並列共振回路）    ２１…整流回路    ２２…レベル判別回路    ２３…リレー駆動回路    ２４…リレー接点    ２５…降圧回路    Ｔｉｎ１，Ｔｉｎ２…入力端子    Ｔｏｕｔ１，Ｔｏｕｔ２…出力端子。
【図１】
0004234852.tif 000002
【図２】
0004234852.tif 000003